(57)【要約】【課題】既存の伝送規格を使用して容易に伝送速度を高速化できる信号伝送装置等を提供する。【解決手段】相手方の信号伝送装置と接続された伝送媒体を介して、異なる周波数を有する搬送波信号を用いて伝送信号を送受信する複数の伝送信号処理部４−１，４−２，…４−Ｎを有する信号伝送装置において、送受信切替制御部３は、入力される送信データに基づいて、相手方の信号伝送装置との接続状態と、相手方の信号伝送装置との信号品質と、相手方の信号伝送装置との送受信における送信と受信との利用比率と、送信データのデータ種別との少なくとも１つに応じて、送信データを伝送すべき少なくとも１つの伝送信号処理部を選択して、選択された伝送信号処理部を用いて送信データを相手方の信号伝送装置に伝送するように制御する。【選択図】図１
2007180923.tif 000002
【特許請求の範囲】
【請求項１】
相手方の信号伝送装置と接続された伝送媒体を介して、異なる周波数を有する搬送波信号を用いて伝送信号を送受信する複数の伝送信号処理手段と、
入力される送信データに基づいて、上記相手方の信号伝送装置との接続状態と、上記相手方の信号伝送装置との信号品質と、上記相手方の信号伝送装置との送受信における送信と受信との利用比率と、上記送信データのデータ種別との少なくとも１つに応じて、上記送信データを伝送すべき少なくとも１つの伝送信号処理手段を選択して、上記選択された伝送信号処理手段を用いて上記送信データを相手方の信号伝送装置に伝送するように制御する制御手段とを備えたことを特徴とする信号伝送装置。
【請求項２】
上記制御手段は、上記相手方の信号伝送装置との接続状態に応じて、上記送信データを伝送すべき少なくとも１つの伝送信号処理手段を選択し、上記相手方の信号伝送装置と接続された伝送信号処理手段を用いて上記送信データを相手方の信号伝送装置に伝送するように制御することを特徴とする請求項１記載の信号伝送装置。
【請求項３】
上記制御手段は、上記相手方の信号伝送装置との信号品質に応じて、所定のしきい値以上の信号品質で伝送可能である少なくとも１つの伝送信号処理手段を選択し、上記相手方の信号伝送装置と接続された伝送信号処理手段を用いて上記送信データを相手方の信号伝送装置に伝送するように制御することを特徴とする請求項１記載の信号伝送装置。
【請求項４】
上記制御手段は、上記相手方の信号伝送装置との送受信における送信と受信との利用比率に応じて、上記利用比率に実質的に対応するような利用比率となるように少なくとも１つの伝送信号処理手段を選択し、上記相手方の信号伝送装置と接続された伝送信号処理手段を用いて上記送信データを相手方の信号伝送装置に伝送するように制御することを特徴とする請求項１記載の信号伝送装置。
【請求項５】
上記制御手段は、上記送信データのデータ種別に応じて、上記送信データを伝送すべき少なくとも１つの伝送信号処理手段を選択し、プロトコル層でパケット順序が保証されない第１のプロトコルの送信データを送信するときに１つの伝送信号処理手段を選択する一方、プロトコル層でパケット順序が保証される第２のプロトコルの送信データを送信するときに少なくとも１つの伝送信号処理手段を選択し、上記送信データを相手方の信号伝送装置に伝送するように制御することを特徴とする請求項１記載の信号伝送装置。
【請求項６】
相手方の信号伝送装置と接続された伝送媒体を介して、異なる周波数を有する搬送波信号を用いて伝送信号を送受信する複数の伝送信号処理手段を備えた信号伝送装置のための制御方法において、
入力される送信データに基づいて、上記相手方の信号伝送装置との接続状態と、上記相手方の信号伝送装置との信号品質と、上記相手方の信号伝送装置との送受信における送信と受信との利用比率と、上記送信データのデータ種別との少なくとも１つに応じて、上記送信データを伝送すべき少なくとも１つの伝送信号処理手段を選択して、上記選択された伝送信号処理手段を用いて上記送信データを相手方の信号伝送装置に伝送するように制御する制御ステップを含むことを特徴とする信号伝送装置のための制御方法。
【請求項７】
上記制御ステップは、上記相手方の信号伝送装置との接続状態に応じて、上記送信データを伝送すべき少なくとも１つの伝送信号処理手段を選択し、上記相手方の信号伝送装置と接続された伝送信号処理手段を用いて上記送信データを相手方の信号伝送装置に伝送するように制御することを特徴とする請求項６記載の信号伝送装置のための制御方法。
【請求項８】
上記制御ステップは、上記相手方の信号伝送装置との信号品質に応じて、所定のしきい値以上の信号品質で伝送可能である少なくとも１つの伝送信号処理手段を選択し、上記相手方の信号伝送装置と接続された伝送信号処理手段を用いて上記送信データを相手方の信号伝送装置に伝送するように制御することを特徴とする請求項６記載の信号伝送装置のための制御方法。
【請求項９】
上記制御ステップは、上記相手方の信号伝送装置との送受信における送信と受信との利用比率に応じて、上記利用比率に実質的に対応するような利用比率となるように少なくとも１つの伝送信号処理手段を選択し、上記相手方の信号伝送装置と接続された伝送信号処理手段を用いて上記送信データを相手方の信号伝送装置に伝送するように制御することを特徴とする請求項６記載の信号伝送装置のための制御方法。
【請求項１０】
上記制御ステップは、上記送信データのデータ種別に応じて、上記送信データを伝送すべき少なくとも１つの伝送信号処理手段を選択し、プロトコル層でパケット順序が保証されない第１のプロトコルの送信データを送信するときに１つの伝送信号処理手段を選択する一方、プロトコル層でパケット順序が保証される第２のプロトコルの送信データを送信するときに少なくとも１つの伝送信号処理手段を選択し、上記送信データを相手方の信号伝送装置に伝送するように制御することを特徴とする請求項６記載の信号伝送装置のための制御方法。
【請求項１１】
請求項６乃至１０のうちのいずれか１つに記載の信号伝送装置のための制御方法の制御ステップを含むことを特徴とする信号伝送装置のためのプログラム。
【請求項１２】
請求項１１記載の信号伝送装置のためのプログラムを記録したことを特徴とするコンピュータ可読記録媒体。
【発明の詳細な説明】
【技術分野】
【０００１】
本発明は、複数の伝送信号処理手段を有する信号伝送装置とそのための制御方法、プログラム及びコンピュータ可読記録媒体に関する。特に、本発明は、複数の伝送信号処理手段を高効率に利用して高速信号伝送を可能にする信号伝送装置とそのための制御方法、プログラム及びコンピュータ可読記録媒体に関する。
【背景技術】
【０００２】
近年、高速な伝送媒体である光ファイバケーブルの普及に伴い、宅内で利用可能な、高画質な映像データを視聴するための高速信号伝送装置が要求されている。高速信号伝送を実現するためには、例えば、物理層での伝送速度やアクセス方式を高速化する方法がある。また、ＩＥＥＥで規格が制定されている無線ＬＡＮの通信システムでは、伝送速度を向上させるための方式としてＭＩＭＯ（Multiple-Input Multiple-Output）が提案されている。ＭＩＭＯによれば、複数の送受信アンテナから同一周波数で異なるデータを同時に送信することによって、周波数帯域を拡大しなくても伝送速度を向上させることができる。
【０００３】
しかし、ＭＩＭＯでは、同一周波数を利用する故に、各送信アンテナから出力される異なるデータ同士が互いに干渉する可能性が高い。そのため、受信側で受信されたデータを推定・分離するためには高度な信号処理技術が必要であり、処理時間の増大や、回路の複雑化によるコストの増大等の問題があった。
【０００４】
複雑な信号処理を行わずに伝送速度を高速化できる従来例の信号伝送装置が、例えば、特許文献１に開示されている。特許文献１は、１つの物理的な接続上で伝送される１つのパケットを異なる周波数の搬送波に分割して伝送することで、複雑な信号処理を行わずに高速信号伝送を実現するものである。
【０００５】
【特許文献１】特開２００２−１９９０４７号公報。
【発明の開示】
【発明が解決しようとする課題】
【０００６】
しかしながら、上記従来例の信号伝送装置は、１つのパケットを複数に分割して複数の異なる周波数の搬送波を利用して伝送するので、送信側でのパケットの分割、受信側でのパケットの組立等に関する新たな規則を構築する必要がある。それにより、既存の信号伝送装置を使用する場合、機器間の通信を制御する部分の変更が必要となる、という問題があった。
【０００７】
本発明の目的は、上記課題を解決し、既存の伝送規格を使用して容易に伝送速度を高速化できる信号伝送装置とそのための制御方法、プログラム及びコンピュータ可読記録媒体を提供することである。
【課題を解決するための手段】
【０００８】
第１の発明に係る信号伝送装置は、相手方の信号伝送装置と接続された伝送媒体を介して、異なる周波数を有する搬送波信号を用いて伝送信号を送受信する複数の伝送信号処理手段と、入力される送信データに基づいて、上記相手方の信号伝送装置との接続状態と、上記相手方の信号伝送装置との信号品質と、上記相手方の信号伝送装置との送受信における送信と受信との利用比率と、上記送信データのデータ種別との少なくとも１つに応じて、上記送信データを伝送すべき少なくとも１つの伝送信号処理手段を選択して、上記選択された伝送信号処理手段を用いて上記送信データを相手方の信号伝送装置に伝送するように制御する制御手段とを備えたことを特徴とする。
【０００９】
上記信号伝送装置において、上記制御手段は、上記相手方の信号伝送装置との接続状態に応じて、上記送信データを伝送すべき少なくとも１つの伝送信号処理手段を選択し、上記相手方の信号伝送装置と接続された伝送信号処理手段を用いて上記送信データを相手方の信号伝送装置に伝送するように制御することを特徴とする。
【００１０】
また、上記信号伝送装置において、上記制御手段は、上記相手方の信号伝送装置との信号品質に応じて、所定のしきい値以上の信号品質で伝送可能である少なくとも１つの伝送信号処理手段を選択し、上記相手方の信号伝送装置と接続された伝送信号処理手段を用いて上記送信データを相手方の信号伝送装置に伝送するように制御することを特徴とする。
【００１１】
さらに、上記信号伝送装置において、上記制御手段は、上記相手方の信号伝送装置との送受信における送信と受信との利用比率に応じて、上記利用比率に実質的に対応するような利用比率となるように少なくとも１つの伝送信号処理手段を選択し、上記相手方の信号伝送装置と接続された伝送信号処理手段を用いて上記送信データを相手方の信号伝送装置に伝送するように制御することを特徴とする。
【００１２】
またさらに、上記信号伝送装置において、上記制御手段は、上記送信データのデータ種別に応じて、上記送信データを伝送すべき少なくとも１つの伝送信号処理手段を選択し、プロトコル層でパケット順序が保証されない第１のプロトコルの送信データを送信するときに１つの伝送信号処理手段を選択する一方、プロトコル層でパケット順序が保証される第２のプロトコルの送信データを送信するときに少なくとも１つの伝送信号処理手段を選択し、上記送信データを相手方の信号伝送装置に伝送するように制御することを特徴とする。
【００１３】
第２の発明に係る信号伝送装置のための制御方法は、相手方の信号伝送装置と接続された伝送媒体を介して、異なる周波数を有する搬送波信号を用いて伝送信号を送受信する複数の伝送信号処理手段を備えた信号伝送装置のための制御方法において、入力される送信データに基づいて、上記相手方の信号伝送装置との接続状態と、上記相手方の信号伝送装置との信号品質と、上記相手方の信号伝送装置との送受信における送信と受信との利用比率と、上記送信データのデータ種別との少なくとも１つに応じて、上記送信データを伝送すべき少なくとも１つの伝送信号処理手段を選択して、上記選択された伝送信号処理手段を用いて上記送信データを相手方の信号伝送装置に伝送するように制御する制御ステップを含むことを特徴とする。
【００１４】
上記信号伝送装置のための制御方法において、上記制御ステップは、上記相手方の信号伝送装置との接続状態に応じて、上記送信データを伝送すべき少なくとも１つの伝送信号処理手段を選択し、上記相手方の信号伝送装置と接続された伝送信号処理手段を用いて上記送信データを相手方の信号伝送装置に伝送するように制御することを特徴とする。
【００１５】
また、上記信号伝送装置のための制御方法において、上記制御ステップは、上記相手方の信号伝送装置との信号品質に応じて、所定のしきい値以上の信号品質で伝送可能である少なくとも１つの伝送信号処理手段を選択し、上記相手方の信号伝送装置と接続された伝送信号処理手段を用いて上記送信データを相手方の信号伝送装置に伝送するように制御することを特徴とする。
【００１６】
さらに、上記信号伝送装置のための制御方法において、上記制御ステップは、上記相手方の信号伝送装置との送受信における送信と受信との利用比率に応じて、上記利用比率に実質的に対応するような利用比率となるように少なくとも１つの伝送信号処理手段を選択し、上記相手方の信号伝送装置と接続された伝送信号処理手段を用いて上記送信データを相手方の信号伝送装置に伝送するように制御することを特徴とする。
【００１７】
またさらに、上記信号伝送装置のための制御方法において、上記制御ステップは、上記送信データのデータ種別に応じて、上記送信データを伝送すべき少なくとも１つの伝送信号処理手段を選択し、プロトコル層でパケット順序が保証されない第１のプロトコルの送信データを送信するときに１つの伝送信号処理手段を選択する一方、プロトコル層でパケット順序が保証される第２のプロトコルの送信データを送信するときに少なくとも１つの伝送信号処理手段を選択し、上記送信データを相手方の信号伝送装置に伝送するように制御することを特徴とする。
【００１８】
第３の発明に係る信号伝送装置のためのプログラムは、上記信号伝送装置のための制御方法の制御ステップを含むことを特徴とする。
【００１９】
第４の発明に係るコンピュータ可読記録媒体は、上記信号伝送装置のためのプログラムを記録したことを特徴とする。
【発明の効果】
【００２０】
従って、本発明によれば、入力される送信データに基づいて、相手方の信号伝送装置との接続状態と、相手方の信号伝送装置との信号品質と、相手方の信号伝送装置との送受信における送信と受信との利用比率と、送信データのデータ種別との少なくとも１つに応じて、送信データを伝送すべき少なくとも１つの伝送信号処理手段を選択することによって、複数の伝送信号処理手段を高効率に利用し、既存の伝送規格を使用して容易に伝送速度を高速化できる、という有利な効果を奏する。
【発明を実施するための最良の形態】
【００２１】
以下本発明の実施をするための最良の形態を具体的に示した実施形態について、図面とともに記載する。
【００２２】
第１の実施形態．
図１は、本実施形態に係るパケット信号伝送装置の構成を示すブロック図である。本実施形態に係るパケット信号伝送装置は、無線データ通信システムにおけるパケット信号伝送装置である。本実施形態に係るパケット信号伝送装置は、パケット信号を、送受信アンテナを介して接続先の他のパケット信号伝送装置と無線送受信するものである。図１において、パケット信号伝送装置は、データ生成処理部１と、データ受信処理部２と、送受信切替制御部３と、複数Ｎ個の伝送信号処理部４−１，４−２，…，４−Ｎと、混合分配器９と、送受信アンテナ１０とを有する。
【００２３】
データ生成処理部１は、他のパケット信号伝送装置に無線送信するための送信データを生成する。データ受信処理部２は、接続先の他のパケット信号伝送装置から無線受信されたデータを処理する。
【００２４】
送受信切替制御部３は、伝送信号処理部４−１，４−２，…，４−Ｎにデータを送信する前に、伝送信号処理部４−１，４−２，…，４−Ｎに対して、接続先の他のパケット信号伝送装置に対するセッション接続要求信号を送信する。送受信切替制御部３は、各伝送信号処理部４−１，４−２，…，４−Ｎからセッション接続完了信号を通知されると、データ生成処理部１から入力された送信データを、伝送信号処理部の伝送速度に応じて所定数の送信データに分割し、最大Ｎ個の伝送信号処理部に振り分けて出力する。また、送受信切替制御部３は、各伝送信号処理部から入力された受信データをデータ受信処理部２に転送する。
【００２５】
送受信切替制御部３は、例えば、マイクロコンピュータである。送受信切替制御部３は、ＣＤ−ＲＯＭ等のコンピュータ可読記録媒体を再生するためのドライブ装置を備え、ＣＤ−ＲＯＭに記録されたプログラムを読み込み、送受信切替制御部３の主メモリにロードし、実行することによって、データ生成処理部１と、データ受信処理部２と、伝送信号処理部４−１，４−２，…，４−Ｎとのデータの送受信や振り分け、及び、接続要求及び接続完了に関わるその他の信号の送受信に関する制御処理を行う。
【００２６】
各伝送信号処理部４−１，４−２，…，４−Ｎは、メディアアクセス制御処理部（以下、ＭＡＣ処理部という。）５−１，５−２，…，５−Ｎ、ベースバンド処理部（以下、ＢＢ処理部という。）６−１，６−２，…，６−Ｎ、及び、高周波処理部（以下、ＲＦ処理部という。）７−１，７−２，…，７−Ｎ、及び、伝送制御部８−１，８−２，…，８−Ｎをそれぞれ有する。
【００２７】
各伝送制御部８−１，８−２，…，８−Ｎは、各ＭＡＣ処理部５−１，５−２，…，５−Ｎ、各ＢＢ処理部６−１，６−２，…，６−Ｎ、各ＲＦ処理部７−１，７−２，…，７−Ｎの動作をそれぞれ制御する。また、各伝送制御部８−１，８−２，…，８−Ｎは、送受信切替制御部３から他のパケット信号伝送装置に対するセッション接続要求信号に基づいて、各ＭＡＣ処理部５−１，５−２，…，５−Ｎに対して、他のパケット信号伝送装置とのセッション接続を確立するように指示する。各伝送制御部８−１，８−２，…，８−Ｎは、他のパケット信号伝送装置とのセッション接続を完了すると、送受信切替制御部３に対してセッション接続完了信号を通知する。
【００２８】
各ＭＡＣ処理部５−１，５−２，…，５−Ｎは、他のパケット信号伝送装置とセッション接続を確立したり、送信データをパケット単位に分割したり、受信データのパケットからデータを取り出して結合したりする処理を行う。各ＢＢ処理部６−１，６−２，…，６−Ｎは、送受信データに対して、ベースバンド処理を行う。各ＲＦ処理部７−１，７−２，…，７−Ｎは、互いに異なる周波数ｆ１，ｆ２，…，ｆＮを有する搬送波信号を、各ＢＢ処理部６−１，６−２，…，６−Ｎから入力された送信データに従ってそれぞれ変調し、電力増幅して送信信号として混合分配器９に出力する。また、各ＲＦ処理部７−１，７−２，…，７−Ｎは、混合分配器９から入力された受信信号を、高周波増幅し、周波数変換し、中間周波増幅し、復調処理して受信データとして各ＢＢ処理部６−１，６−２，…，６−Ｎに出力する。
【００２９】
混合分配器９は、各伝送信号処理部４−１，４−２，…，４−Ｎから入力された複数の送信信号を周波数多重化し、多重化した送信信号を、送受信アンテナ１０を介して、他のパケット信号伝送装置に無線送信する。また、混合分配器９は、他のパケット信号伝送装置から送受信アンテナ１０を介して無線受信された、多重化された受信信号を、搬送波周波数毎に分配して、対応する搬送波周波数を有する伝送信号処理部４−１，４−２，…，４−Ｎに出力する。
【００３０】
次に、本実施形態に係るパケット信号伝送装置の動作について説明する。まず、データ生成処理部１で生成された送信データを他のパケット信号伝送装置に送信する場合について説明する。なお、このとき、既にパケット信号伝送装置の各伝送信号処理部４−１，４−２，…，４−Ｎは、他のパケット信号伝送装置とセッション接続されているものとする。
【００３１】
データ生成処理部１は、送信データを生成して、送受信切替制御部３に出力する。送受信切替制御部３は、データ生成処理部１が生成した送信データをＮ個の送信データに分割して、伝送信号処理部４−１，４−２，…，４−Ｎにそれぞれ出力する。分割された送信データの１つが伝送信号処理部４−１に入力される。ＭＡＣ処理部５−１は、送信データをパケット単位で分割し、ＢＢ処理部６−１に出力する。ＢＢ処理部６−１は、入力されたパケットに対してベースバンド処理を行い、ＲＦ処理部７−１に出力する。ＲＦ処理部７−１は、周波数ｆ１の搬送波信号を、入力されたパケットデータに従って変調し、送信信号として混合分配器９に出力する。上記の処理は、他の伝送信号処理部４−２，…，４−Ｎについても同様である。混合分配器９は、各伝送信号処理部４−１，４−２，…，４−Ｎから入力されたＮ個の送信信号を多重化し、送受信アンテナ１０を介して、他のパケット信号伝送装置に無線送信する。
【００３２】
次に、他のパケット信号伝送装置から、送受信アンテナ１０を介して受信信号を無線受信する場合について説明する。
【００３３】
他のパケット信号伝送装置から送受信アンテナ１０を介して無線受信された受信信号は、混合分配器９に入力される。混合分配器９は、多重化された受信信号を、搬送波周波数毎の信号に分配して、対応する搬送波周波数を有する伝送信号処理部に出力する。例えば、搬送波周波数がｆ１である信号は、伝送信号処理部４−１に入力される。伝送信号処理部４−１のＲＦ処理部７−１は、受信信号を復調して電力増幅を行い、受信データとしてＢＢ処理部６−１に出力する。ＢＢ処理部６−１は、入力された受信データに対して、ベースバンド処理を行い、ＭＡＣ処理部５−１に出力する。ＭＡＣ処理部５−１は、入力された受信データのパケットデータを分解してデータを結合し、送受信切替制御部３に出力する。上記の処理は、他の伝送信号処理部４−２，…，４−Ｎについても同様である。送受信切替制御部３は、データ受信処理部２に受信データを伝送する。データ受信処理部２は、受信データを処理する。
【００３４】
本実施形態に係るパケット信号伝送装置によれば、パケット信号伝送装置がＮ個の伝送信号処理部４−１，４−２，…，４−Ｎを有するので、１つの伝送信号処理部のみを備えるパケット信号伝送装置と比べてパケット信号伝送装置全体の伝送速度が最大でＮ倍になる。また、各伝送信号処理部４−１，４−２，…，４−Ｎへの送信データの振り分けは、送受信切替制御部３が行うため、データ生成処理部１及びデータ受信処理部２が伝送信号処理部の個数を考慮する必要は無い。
【００３５】
また、本実施形態に係るパケット信号伝送装置によれば、各伝送信号処理部４−１，４−２，…，４−Ｎは、ＭＡＣ処理部５−１，５−２，…，５−Ｎ、ＢＢ処理部６−１，６−２，…，６−Ｎ、及びＲＦ処理部７−１，７−２，…，７−Ｎをそれぞれ有するので、互いに異なる周波数ｆ１，ｆ２，…，ｆＮを利用して、接続先の他のパケット信号伝送装置とそれぞれ独立してセッション接続及びデータ送受信を行うことができる。また、送受信は、パケット単位で行われるので、１つのパケットをそれ以上分割することがなく、送受信切替制御部３は、既存の伝送規格を使用して各伝送信号処理部４−１，４−２，…，４−Ｎとデータのやり取りができる。本実施形態に係るパケット信号伝送装置によれば、既存の伝送規格を使用して容易に伝送速度を高速化できる信号伝送装置を実現できる。
【００３６】
なお、本実施形態において、送受信切替制御部３は、送信データを、伝送信号処理部４−１，４−２，…，４−Ｎの伝送速度に応じて所定数の送信データに分割し、複数の伝送信号処理部４−１，４−２，…，４−Ｎに出力する。しかし、本発明はこれに限らず、例えば、各伝送信号処理部４−１，４−２，…，４−Ｎの送受信における送信と受信との利用比率、各伝送信号処理部４−１，４−２，…，４−Ｎの他のパケット信号伝送装置との接続状態等に応じて、伝送信号処理部を選択して送信データを出力してもよい。例えば、送受信切替制御部３は、伝送信号処理部４−１，４−２，…，４−Ｎの送受信における送信と受信との利用比率を監視して送信利用率の低い伝送信号処理部を選択して送信データを出力してもよい。あるいは、伝送信号処理部４−１，４−２，…，４−Ｎの他のパケット信号伝送装置との接続状態を監視して、セッション接続されている伝送信号処理部を選択してもよい。あるいは、他のパケット信号伝送装置との信号品質（例えば、ビットエラーレート等）を監視して、所定のしきい値以上の信号品質で伝送可能である伝送信号処理部を選択してもよい。
【００３７】
また、本実施形態において、パケット信号伝送装置は、他のパケット信号伝送装置と、送受信アンテナ１０を介して無線で接続されている。しかし、本発明はこの構成に限らず、パケット信号伝送装置と他のパケット信号伝送装置とが、有線で接続されてもよく、本実施形態と同等の効果を奏する。
【００３８】
第２の実施形態．
図２は、本実施形態に係るパケット信号伝送装置の構成を示すブロック図である。本実施形態に係るパケット信号伝送装置は、イーサネット（登録商標）と同軸伝送システム間のブリッジ装置に用いられるパケット信号伝送装置である。図２において、本実施形態に係るパケット信号伝送装置は、送受信部１２、送受信切替制御部３Ａ、伝送信号処理部４Ａ−１及び４Ａ−２、混合分配器９Ａ及び同軸端子１３を有する。送受信部１２は、イーサネット（登録商標）ケーブル１１に接続される。同軸端子１３は、同軸ケーブル１４に接続される。イーサネット（登録商標）ケーブル１１には、図示しない第１の他のパケット信号伝送装置が接続されている。同軸ケーブル１４には、図示しない第２の他のパケット信号伝送装置が接続されている。
【００３９】
なお、以下の実施形態において、イーサネット（登録商標）ケーブル１１側から同軸ケーブル１４側へデータが送信される場合を例にとって説明するが、本実施形態に係るパケット信号伝送装置は、送信側としても受信側としても適用可能である。
【００４０】
送受信部１２はイーサネット（登録商標）ケーブル１１を介して接続されている第１の他のパケット信号伝送装置とパケットデータの送受信を行う。送受信部１２は、第１の他のパケット信号伝送装置から受信されたパケットデータを送受信切替制御部３Ａに出力する。また、送受信部１２は、送受信切替制御部３Ａから入力されたパケットデータを接続先である第１の他のパケット信号伝送装置に伝送する。
【００４１】
送受信切替制御部３Ａは、送受信部１２から入力されたパケットデータを伝送信号処理部４Ａ−１及び４Ａ−２に出力する前に、伝送信号処理部４Ａ−１及び４Ａ−２に対して、第２の他のパケット信号伝送装置に対するセッション接続要求信号を出力する。送受信切替制御部３Ａは、各伝送信号処理部４Ａ−１及び４Ａ−２の両方からセッション接続完了信号を通知されると、送受信部１２から入力されたパケットデータを、各伝送信号処理部４Ａ−１及び４Ａ−２に振り分けて出力する。また、送受信切替制御部３Ａは、各伝送信号処理部４Ａ−１及び４Ａ−２から入力されたパケットデータを送受信部１２に転送する。
【００４２】
また、送受信切替制御部３Ａは、パケット信号伝送装置の通信状況を監視する。具体的には、パケット信号伝送装置の送受信における送信と受信との利用比率を監視する。さらに具体的には、パケット信号伝送装置が送信したパケットデータの量とパケット信号伝送装置が受信したパケットデータの量との割合を監視する。送受信切替制御部３Ａは、パケット信号伝送装置の通信状況に応じて、一定時間毎に、基準とする送受信の割合を更新する。具体的には、パケット信号伝送装置が送信したパケットデータの量が多い場合には、送信の割合が高くなるように送受信の割合を更新し、パケット信号伝送装置が受信したパケットデータの量が多い場合には、受信の割合が高くなるように送受信の割合を更新して、送受信したパケットデータの量と実質的に対応するような送受信の割合とする。送受信切替制御部３Ａは、送受信部１２から入力されたパケットデータを、基準とする送受信の割合に応じて、各伝送信号処理部４Ａ−１及び４Ａ−２に振り分けて出力する。なお、伝送開始直後において、基準とする送受信の割合は５０：５０に初期設定されるものとする。
【００４３】
送受信切替制御部３Ａは、例えば、マイクロコンピュータである。送受信切替制御部３Ａは、ＣＤ−ＲＯＭ等のコンピュータ可読記録媒体を再生するためのドライブ装置を備え、ＣＤ−ＲＯＭに記録されたプログラムを読み込み、送受信切替制御部３Ａの主メモリにロードし、実行することによって、送受信部１２、及び、伝送信号処理部４Ａ−１及び４Ａ−２とのデータの送受信や振り分け、及び、接続要求及び接続完了に関わるその他の信号の送受信に関する処理、及び、パケット信号伝送装置の通信状況を監視する制御処理を行う。
【００４４】
各伝送信号処理部４Ａ−１及び４Ａ−２は、ＭＡＣ処理部５Ａ−１及び５Ａ−２、ＢＢ処理部６Ａ−１及び６Ａ−２、及び、ＲＦ処理部７Ａ−１及び７Ａ−２、伝送制御部８Ａ−１及び８Ａ−２をそれぞれ有する。
【００４５】
各伝送制御部８Ａ−１及び８Ａ−２は、各ＭＡＣ処理部５Ａ−１及び５Ａ−２、各ＢＢ処理部６Ａ−１及び６Ａ−２、各ＲＦ処理部７Ａ−１及び７Ａ−２の動作をそれぞれ制御する。また、各伝送制御部８Ａ−１及び８Ａ−２は、送受信切替制御部３から第２の他のパケット信号伝送装置に対するセッション接続要求信号に基づいて、各ＭＡＣ処理部５Ａ−１及び５Ａ−２に対して、第２の他のパケット信号伝送装置とのセッション接続を確立するように指示する。各伝送制御部８Ａ−１及び８Ａ−２は、第２の他のパケット信号伝送装置とのセッション接続を完了すると、送受信切替制御部３に対してセッション接続完了信号を通知する。
【００４６】
各ＭＡＣ処理部５Ａ−１及び５Ａ−２は、第１及び第２の他のパケット信号伝送装置とセッション接続を確立する処理を行う。各ＢＢ処理部６Ａ−１及び６Ａ−２は、送受信データに対して、ベースバンド処理を行う。各ＲＦ処理部７Ａ−１及び７Ａ−２は、互いに異なる周波数ｆ１及びｆ２を有する搬送波信号を、送受信部１２が入力したパケットデータに従ってそれぞれ変調し、電力増幅して送信信号として混合分配器９Ａに出力する。また、各ＲＦ処理部７Ａ−１及び７Ａ−２は、混合分配器９Ａから入力された受信信号を、高周波増幅し、周波数変換し、中間周波増幅し、復調処理して受信データとして各ＢＢ処理部６Ａ−１及び６Ａ−２に出力する。
【００４７】
混合分配器９Ａは、各伝送信号処理部４−１及び４−２から入力された複数の送信信号を周波数多重化し、多重化した送信信号を、同軸端子１３及び同軸ケーブル１４を介して、第２の他のパケット信号伝送装置に送信する。また、混合分配器９Ａは、第２の他のパケット信号伝送装置から同軸ケーブル１４及び同軸端子１３を介して受信された、多重化された受信信号を、搬送波周波数毎に分配して、対応する搬送波周波数を有する伝送信号処理部に出力する。
【００４８】
図３は、伝送開始直後における、イーサネット（登録商標）ケーブル１１から送受信部１２に入力されるパケットデータＤ１と伝送信号処理部４Ａ−１及び４Ａ−２にそれぞれ出力されるパケットデータＤ２及びＤ３を示すタイムチャートである。
【００４９】
伝送開始直後において、基準とする送受信の割合は、初期設定である５０：５０である。したがって、図３において、２つの伝送信号処理部４Ａ−１及び４Ａ−２のうち、伝送信号処理部４Ａ−１を送信用として利用し、伝送信号処理部４Ａ−２を受信用として利用することによって、基準とする送受信の割合が５０：５０となるようにパケットデータを振り分けている。ここで伝送信号処理部４Ａ−１を受信用として利用し、伝送信号処理部４Ａ−２を送信用として利用しても、各伝送信号処理部４Ａ−１及び４Ａ−２で所定時間毎に送信用及び受信用を切り替えて利用しても同様であることは言うまでもない。図３では、送信パケットＰ１〜Ｐ６は、伝送信号処理部４Ａ−１に入力され、受信パケットＲ１〜Ｒ６は、伝送信号処理部４Ａ−２に入力されている。
【００５０】
図４は、一定時間経過後における、イーサネット（登録商標）ケーブル１１から送受信部１２に入力されるパケットデータＤ１と伝送信号処理部４Ａ−１及び４Ａ−２にそれぞれ出力されるパケットデータＤ２及びＤ３を示すタイムチャートである。
【００５１】
送受信切替制御部３Ａは、伝送開始から一定時間、パケット信号伝送装置の通信状況を監視した結果、基準とする送受信の割合を７５：２５に更新したとする。図４において、送受信切替制御部３Ａは、基準とする送受信の割合に従って、送受信部１２から受け取ったパケットデータを、伝送信号処理部４Ａ−１だけでなく伝送信号処理部４Ａ−２にも振り分けて出力する。即ち、初期設定では受信パケット用に使用されていた伝送信号処理部４Ａ−２の一部が送信パケット用として使用される。図４では、送信パケットＰ７，Ｐ９，Ｐ１１，Ｐ１２は、伝送信号処理部４Ａ−１に入力され、送信パケットＰ８，Ｐ１０は、伝送信号処理部４Ａ−２に入力されている。これにより、全体としての伝送速度は、同等数の送信パケットを送信する図３に示した場合に比べて高くなっており、伝送信号処理部の使用効率が高い。
【００５２】
伝送信号処理部４Ａ−１及び４Ａ−２に入力された送信パケットは、それぞれのＭＡＣ処理部、ＢＢ処理部、及びＲＦ処理部で処理され、混合分配器９Ａで多重化され、同軸端子１３及び同軸ケーブル１４を介して接続されている第２の他のパケット信号伝送装置に送信される。
【００５３】
本実施形態に係るパケット信号伝送装置によれば、送受信切替制御部３Ａがパケット信号伝送装置の通信状況に応じて、送信パケットを引き渡す伝送信号処理部４Ａ−１及び４Ａ−２を選択する事で伝送信号処理部を高効率に利用する信号伝送装置を実現できる。
【００５４】
第３の実施形態．
図５は、本実施形態に係るパケット信号伝送装置の構成を示すブロック図である。本実施形態に係るパケット信号伝送装置は、イーサネット（登録商標）と同軸伝送システム間のブリッジ装置に用いられるパケット信号伝送装置である。図５において、送受信切替制御部３Ａに代えて送受信切替制御部３Ｂを有する点において、図２に示した第２の実施形態に係るパケット信号伝送装置とは異なる。それ以外の点については、図２に示した第２の実施形態に係るパケット信号伝送装置と同様であり、同一符号を付した構成要素についての詳細な説明は省略する。
【００５５】
第２の実施形態に係るパケット信号伝送装置の送受信切替制御部３Ａは、パケット信号伝送装置の通信状況を監視したが、本実施形態に係るパケット信号伝送装置の送受信切替制御部３Ｂは、パケット信号伝送装置の通信状況を監視することに加えて、送信するパケットのパケット種別を監視する。パケット種別とは、例えば、ＵＤＰパケット、ＴＣＰパケット等である。ここで、ＵＤＰパケットは、プロトコル層でパケット順序が保証されないプロトコルのパケットデータであり、ＴＣＰパケットはプロトコル層でパケット順序が保証されるプロトコルのパケットデータである。
【００５６】
送受信切替制御部３Ｂは、伝送信号処理部４Ａ−１及び４Ａ−２にデータを出力する前に、伝送信号処理部４Ａ−１及び４Ａ−２に対して、第２の他のパケット信号伝送装置に対するセッション接続要求信号を出力する。送受信切替制御部３Ｂは、各伝送信号処理部４Ａ−１及び４Ａ−２の両方からセッション接続完了信号を通知されると、送受信部１２から入力された送信データを、各伝送信号処理部４Ａ−１及び４Ａ−２に振り分けて出力する。また、送受信切替制御部３Ｂは、各伝送信号処理部４Ａ−１及び４Ａ−２から入力された受信データを送受信部１２に転送する。
【００５７】
送受信切替制御部３Ｂは、例えば、マイクロコンピュータである。送受信切替制御部３Ｂは、ＣＤ−ＲＯＭ等のコンピュータ可読記録媒体を再生するためのドライブ装置を備え、ＣＤ−ＲＯＭに記録されたプログラムを読み込み、送受信切替制御部３Ｂの主メモリにロードし、実行することによって、送受信部１２、及び、伝送信号処理部４Ａ−１及び４Ａ−２とのデータの送受信や振り分け、及び、接続要求及び接続完了に関わるその他の信号の送受信に関する処理、パケット信号伝送装置の通信状況を監視する処理、及び、送信するパケットのパケット種別を監視する制御処理を行う。
【００５８】
イーサネット（登録商標）ケーブル１１から送受信部１２に入力されるパケットデータは、そのヘッダ領域内にパケット種別情報を含む。そのため、送受信切替制御部３Ｂは、送受信部１２に入力されたパケットデータのヘッダ領域内のパケット種別情報を解析することによって、送信するパケットがＵＤＰパケットであるか、ＴＣＰパケットであるかを知ることができる。
【００５９】
送受信部１２に入力されたパケットデータを複数の伝送信号処理部４Ａ−１及び４Ａ−２に分割して送信する場合、各伝送信号処理部４Ａ−１及び４Ａ−２が独立して通信を行っているため、必ずしも送受信切替制御部３Ｂが出力するパケットの順序と第２の他のパケット信号伝送装置で受信されるパケットの順序が等しくなるとはいえない。
【００６０】
例えば、第２の実施形態で詳述した図４に示したタイムチャートにおいては、送信パケットＰ７及びＰ８は、伝送信号処理部４Ａ−１及び４Ａ−２にそれぞれ引き渡される。そのため、送信パケットＰ７、送信パケットＰ８の順序であるべきデータが、第２の他のパケット信号伝送装置で送信パケットＰ８、送信パケットＰ７の順序で受信される可能性がある。ＴＣＰの場合は、伝送路でパケット順序が入れ替わった場合でも、プロトコル層でパケット順序を保証する機能があるが、ＵＤＰの場合はパケット順序を保証する機能がない。
【００６１】
上記のようなパケット種別に依る特性の相違を考慮して、送受信切替制御部３Ｂは、送信パケットがＴＣＰパケットであると判断したときは、パケット信号伝送装置の通信状況に応じて、２つの伝送信号処理部４Ａ−１及び４Ａ−２に振り分けて引き渡すが、送信パケットがＵＤＰパケットであると判断したときは、パケット順序の入れ替わりを防ぐために、パケット信号伝送装置の通信状況に拘わらず常に同じ伝送信号処理部に送信パケットを引き渡す。
【００６２】
図６は、イーサネット（登録商標）ケーブル１１から送受信部１２に入力されるパケットデータＤ１と伝送信号処理部４Ａ−１及び４Ａ−２に出力されるパケットデータＤ２及びＤ３を示すタイムチャートである。図６において、送受信切替制御部３Ｂは、パケット信号伝送装置の通信状況を監視した結果、伝送信号処理部の送受信の割合を７５：２５に設定しているとする。
【００６３】
送信パケットがＴＣＰパケットであるときは、送受信切替制御部３Ｂは、設定された基準となる送受信の割合（この場合、７５：２５である）に従って、送受信部１２から受け取ったパケットデータを、伝送信号処理部４Ａ−１だけでなく伝送信号処理部４Ａ−２にも振り分けて出力する。図６において、ＴＣＰパケットＰ１５は、伝送信号処理部４Ａ−１に入力され、ＴＣＰパケットＰ１６は、伝送信号処理部４Ａ−２に入力される。一方、送信パケットがＵＤＰパケットであるときは、送受信切替制御部３Ｂは、パケット信号伝送装置の通信状況に拘わらず、送受信部１２から受け取ったパケットデータを伝送信号処理部４Ａ−１のみに出力する。図６において、ＵＤＰパケットＰ１７〜Ｐ２０は、伝送信号処理部４Ａ−１に引き渡される。
【００６４】
本実施形態に係るパケット信号伝送装置によれば、パケット信号伝送装置の通信状況に加えて、送信するパケットのパケット種別を監視することにより、パケット種別に依る特性に応じて、最適な伝送を行うことができる信号伝送装置を実現できる。
【００６５】
第４の実施形態．
図７は、本実施形態に係るパケット信号伝送装置の構成を示すブロック図である。本実施形態に係るパケット信号伝送装置は、イーサネット（登録商標）と同軸伝送システム間のブリッジ装置に用いられるパケット信号伝送装置である。図７において、送受信切替制御部３Ｂに代えて送受信切替制御部３Ｃを有する点において、図５に示した第３の実施形態に係るパケット信号伝送装置とは異なる。それ以外の点については、図５に示した第３の実施形態に係るパケット信号伝送装置と同様であり、同一符号を付した構成要素についての詳細な説明は省略する。
【００６６】
第３の実施形態に係るパケット信号伝送装置の送受信切替制御部３Ｂは、パケット信号伝送装置の通信状況及びパケット種別の監視を行ったが、本実施形態に係るパケット信号伝送装置の送受信切替制御部３Ｃは、パケット信号伝送装置の通信状況及びパケット種別を監視することに加えて、各伝送信号処理部４Ａ−１及び４Ａ−２と第２の他のパケット信号伝送装置との物理的な接続状態を監視する。
【００６７】
送受信切替制御部３Ｃは、伝送信号処理部４Ａ−１及び４Ａ−２にデータを出力する前に、伝送信号処理部４Ａ−１及び４Ａ−２に対して、第２の他のパケット信号伝送装置に対するセッション接続要求信号を出力する。送受信切替制御部３Ｃは、各伝送信号処理部４Ａ−１及び４Ａ−２の少なくとも一方からセッション接続完了信号を通知されると、送受信部１２から入力されたパケットデータを、各伝送信号処理部４Ａ−１及び４Ａ−２に振り分けて出力する。また、送受信切替制御部３Ｃは、各伝送信号処理部４Ａ−１及び４Ａ−２から入力された受信データを送受信部１２に転送する。送受信切替制御部３Ｃは、伝送信号処理部４Ａ−１及び４Ａ−２の両方から接続完了信号を通知された後も、一定時間毎に伝送信号処理部４Ａ−１及び４Ａ−２に第２の他のパケット信号伝送装置との接続状態を問い合わせて、接続状態を監視し続ける。
【００６８】
送受信切替制御部３Ｃは、伝送信号処理部４Ａ−１及び４Ａ−２のうち、第２の他のパケット信号伝送装置とセッション接続されている伝送信号処理部にのみパケットデータを出力し、第２の他のパケット信号伝送装置とセッション接続できない、あるいは、何らかの影響によって途中で接続が切断された伝送信号処理部に対してはパケットデータを出力しない。
【００６９】
送受信切替制御部３Ｃは、例えば、マイクロコンピュータである。送受信切替制御部３Ｃは、ＣＤ−ＲＯＭ等のコンピュータ可読記録媒体を再生するためのドライブ装置を備え、ＣＤ−ＲＯＭに記録されたプログラムを読み込み、送受信切替制御部３Ｃの主メモリにロードし、実行することによって、送受信部１２、及び、伝送信号処理部４Ａ−１及び４Ａ−２とのデータの送受信や振り分け、及び、接続要求及び接続完了に関わるその他の信号の送受信に関する処理、パケット信号伝送装置の通信状況を監視する処理、送信するパケットデータのパケット種別を監視する処理、及び、伝送信号処理部４Ａ−１及び４Ａ−２の第２の他のパケット信号伝送装置との接続状態を監視する制御処理を行う。
【００７０】
図８は、イーサネット（登録商標）ケーブル１１から送受信部１２に入力されるパケットデータＤ１と伝送信号処理部４Ａ−１及び４Ａ−２にそれぞれ出力されるパケットデータＤ２及びＤ３を示すタイムチャートである。図８において、伝送信号処理部４Ａ−１は第２の他のパケット信号伝送装置とセッション接続されているが、伝送信号処理部４Ａ−２は第２の他のパケット信号伝送装置とセッション接続されていないものとする。
【００７１】
図８に示されるように、送受信切替制御部３Ｃは、伝送信号処理部４Ａ−１及び４Ａ−２の他のパケット信号伝送装置との接続状態を監視しているので、送受信部１２に入力された送信パケットを伝送信号処理部４Ａ−１にのみ出力し、伝送信号処理部４Ａ−２には出力しない。
【００７２】
このとき、送受信切替制御部３Ｃは、伝送信号処理部４Ａ−２を使用できないので、パケット信号伝送装置の通信状況に応じて、伝送信号処理部４Ａ−１において受信パケット用の領域を確保する。図８において、送信パケットＰ１９及びＰ２０と送信パケットＰ２１及びＰ２２との間に、受信パケット用領域が２つ分確保されている。
【００７３】
本実施形態に係るパケット信号伝送装置によれば、パケット信号伝送装置の通信状況及び送信するパケットのパケット種別に加えて、伝送信号処理部４Ａ−１及び４Ａ−２と第２の他のパケット信号伝送装置との接続状態を監視することにより、いずれかの伝送信号処理部４Ａ−１又は４Ａ−２が第２の他のパケット信号伝送装置と接続されない場合でも最適な伝送を行うことができる信号伝送装置を実現できる。
【００７４】
なお、本実施形態に係るパケット信号伝送装置において、送受信切替制御部３Ｃは、伝送信号処理部４Ａ−１及び４Ａ−２と第２の他のパケット信号伝送装置との接続状態を監視した。しかし、本発明はこの構成に限らず、伝送信号処理部４Ａ−１及び４Ａ−２の第２の他のパケット信号伝送装置との接続状態に代えて、伝送信号処理部４Ａ−１及び４Ａ−２の第２の他のパケット信号伝送装置との信号品質（例えば、ビットエラーレート等）を監視して、所定のしきい値以上の信号品質で伝送可能である伝送信号処理部を選択してもよい。あるいは、第２の他のパケット信号伝送装置との接続状態と、第２の他のパケット信号伝送装置との信号品質とを両方監視してもよい。
【００７５】
また、第２、第３、及び第４の実施形態に係るパケット信号伝送装置において、２つの伝送信号処理部４Ａ−１及び４Ａ−２が設けられた。しかし、本発明はこの構成に限らず、複数Ｎ個の伝送信号処理部を備えていてもよい。伝送信号処理部の数が多い程、最大伝送速度を高くすることができ、いずれかの伝送信号処理部が使用できない場合でもパケット信号伝送装置全体に与える影響が小さくて済む。
【産業上の利用可能性】
【００７６】
本発明に係る信号伝送装置とそのための制御方法、プログラム及びコンピュータ可読記録媒体は、同軸ケーブルを利用した伝送システムや、ＩＥＥＥで規格を制定している無線ＬＡＮシステム等、複数の異なる周波数チャネルを有している伝送システムにおいて有用である。
【図面の簡単な説明】
【００７７】
【図１】本発明の第１の実施形態に係るパケット信号伝送装置の構成を示すブロック図である。
【図２】本発明の第２の実施形態に係るパケット信号伝送装置の構成を示すブロック図である。
【図３】本発明の第２の実施形態に係るパケット信号伝送装置における、伝送開始直後における、送受信部１２に入力されるパケットデータ、及び、伝送信号処理部４Ａ−１及び４Ａ−２にそれぞれ入力されたパケットデータを示すタイムチャートである。
【図４】本発明の第２の実施形態に係るパケット信号伝送装置における、一定時間経過後における、送受信部１２に入力されたパケットデータ、及び、伝送信号処理部入力にそれぞれ入力されたパケットデータを示すタイムチャートである。
【図５】本発明の第３の実施形態に係るパケット信号伝送装置の構成を示すブロック図である。
【図６】本発明の第３の実施形態に係るパケット信号伝送装置における、送受信部１２に（登録商標）から入力されたパケットデータ、及び、伝送信号処理部４Ａ−１及び４Ａ−２にそれぞれ入力されたパケットデータを示すタイムチャートである。
【図７】本発明の第４の実施形態に係るパケット信号伝送装置の構成を示すブロック図である。
【図８】本発明の第４の実施形態に係るパケット信号伝送装置における、送受信部１２に入力されたパケットデータ、及び、伝送信号処理部４Ａ−１及び４Ａ−２にそれぞれ入力されたパケットデータを示すタイムチャートである。
【符号の説明】
【００７８】
１…データ生成処理部、
２…データ受信処理部、
３，３Ａ，３Ｂ，３Ｃ…送受信切替制御部、
４−１〜４−Ｎ，４Ａ−１，４Ａ−２…伝送信号処理部、
５−１〜５−Ｎ，５Ａ−１，５Ａ−２…メディアアクセスコントロール（ＭＡＣ）処理部、
６−１〜６−Ｎ，６Ａ−１，６Ａ−２…ベースバンド（ＢＢ）処理部、
７−１〜７−Ｎ，７Ａ−１，７Ａ−２…高周波（ＲＦ）処理部、
８−１〜８−Ｎ，８Ａ−１，８Ａ−２…伝送制御部、
９，９Ａ…混合分配器、
１０…送受信アンテナ、
１１…イーサネット（登録商標）ケーブル、
１２…送受信部、
１３…同軸端子、
１４…同軸ケーブル。
【図１】
2007180923.tif 000003
【図２】
2007180923.tif 000004
【図３】
2007180923.tif 000005
【図４】
2007180923.tif 000006
【図５】
2007180923.tif 000007
【図６】
2007180923.tif 000008
【図７】
2007180923.tif 000009
【図８】
2007180923.tif 000010